(57)【要約】【課題】  ＡＬＣパネルの表面側からパネル取付用ボルトの打ち込みを容易にするとともに、パネル取付用ボルトのネジ溝に付着したＡＬＣパネルの粉を外部に排出し、確実に螺合することができて、安定した施工性が確保でき、施工効率を向上させる。【解決手段】  ナットのネジ孔の周囲に、少なくとも１つ以上の縦溝又は螺旋状溝を、ボルト挿入方向に貫通するよう形成したパネル取付用ナットを使用する。【選択図】  図１
2008291924.tif 000002
【特許請求の範囲】
【請求項１】
軽量気泡コンクリートパネルを建物躯体に固定する際に、パネル取付用ボルト類に螺合させるナットであって、前記ナットのネジ孔の周囲に少なくとも１つ以上の縦溝又は螺旋状溝を前記ボルト挿入方向に貫通するよう形成したことを特徴とするパネル取付用ナット。
【請求項２】
前記パネル取付用ナットの外形・寸法が、使用するパネル取付用ボルト類の頭部の形状と同じであることを特徴とする請求項１に記載のパネル取付用ナット。
【請求項３】
軽量発泡コンクリートパネルを建物躯体の梁や柱のフランジ若しくは下地鋼材上に載置し、該軽量発泡コンクリートパネルにパネル取付用ボルト類を打ち込んだ後、前記建物躯体の梁や柱のフランジ若しくは下地鋼材を挟み込むような取付金具を介して前記請求項１または２に記載のパネル取付用ナットを螺合させ締め付けてなることを特徴とする軽量発泡コンクリートパネルの取付構造。
【発明の詳細な説明】
【技術分野】
【０００１】
本発明は、本発明は、軽量発泡コンクリートパネル（以下，ＡＬＣパネルと呼ぶ。）を
パネル取付用ボルト類を使用して建物躯体に取付ける方法に関し、その際に使用する締め付け用ナットとそれを使用した軽量気泡コンクリートパネルの取付構造に関するものである。
【背景技術】
【０００２】
従来からＡＬＣパネルは建物の床材、屋根材、壁材として広く使用されている。
ＡＬＣパネルの取付構造としては、一般にＡＬＣパネルにパネル取付用ボルト類を貫通させ、取付金具等を介して建物躯体の部材を挟み込むようにしてパネル取付用ボルト類にナットを螺合させて締め付け、ＡＬＣパネルを建物躯体に取付ける取付構造が採用されている。
その一例として、例えば図１１に示すようなネジ頭部６ａの裏側に突起６ｄを有するパネル取付用ボルト６を使用して、ＡＬＣパネルを固定するＡＬＣパネル取付構造が知られている（例えば、特許文献１参照。）。
図１１に示すパネル取付用ボルト６は、ネジ頭部６ａの外形が略円形または多角形のフランジからなるとともに、該フランジの裏面には突起部６ｄがある。ネジの軸部にはナットを螺合するネジ部６ｂを設けると共に、先端には軽量気泡コンクリートパネルに貫入する刃６ｃを備えたネジである。
【０００３】
図１２に、このパネル取付用ボルト６を使用してＡＬＣパネルを建物区体に固定するＡＬＣパネルの取付構造を断面図で示す。
図１２に示すように、Ｈ形鋼などの建物躯体２のフランジ２ａの上に、ＡＬＣパネルを載置して、パネル取付用ボルト６をネジ頭部６ａがＡＬＣパネル内に埋まるまで打ち込み、パネル取付用ボルト６を取付金具７の孔に貫通させた後、建物躯体２のフランジ２ａを挟み込み、パネル取付用ボルト６にナット８を螺合させて締め付けて、ＡＬＣパネルを建物躯体に固定する。
この例では、ＡＬＣパネル１はとりたてて特殊な加工は必要がなく、また、ＡＬＣパネル載置後にパネル取付用ボルト６を打ち込み、取付金物７の位置がパネル取付用ボルト６を打った位置によって決まるため、取付金物７の位置をそれほど気にする必要がない。
【特許文献１】特開２００４−１１６７８号公報
【発明の開示】
【発明が解決しようとする課題】
【０００４】
しかしながら、パネル取付用ボルト６の先端に刃６ｃがあり、ＡＬＣパネル１をパネル取付用ボルト６自体で穴を開け打込むこととなっているが、実際にはＡＬＣパネル１に貫通させた際に、パネル取付用ボルト６のネジ部６ｂにはＡＬＣパネルの粉が詰まり、ナット８を螺合することは困難である。電動式工具等を用いて強固な力で無理やりナット８を螺合させようとした場合には、パネル取付用ボルト６が共廻りを起こしてしまったり、ＡＬＣパネル１表面１ａ側へ抜けてしまうなどしてしまって、パネル取付用ボルト６とナット８を螺合することができず、ＡＬＣパネル１を固定することは出来ない。
【０００５】
そこで、本発明の目的は、ＡＬＣパネルを取付けるパネル取付用ボルトのネジ溝に付着したＡＬＣパネルの粉を外部に排出させるための溝もしくは孔を有したナットを用いることでより確実に螺合することができて、安定した施工性が確保でき、施工効率を向上させることにある。
【課題を解決するための手段】
【０００６】
本発明は、前記課題を解決するために、ナットのネジ孔の周囲に、少なくとも１つ以上の縦溝又は螺旋状溝を、ボルト挿入方向に貫通するよう形成したパネル取付用ナットを使用することとした。
本発明のパネル取付用ナットでは、施工時に工具がひとつで可能になるため、パネル取付用ナットの外形・寸法が、使用するパネル取付用ボルト類の頭部の形状と同じであることが好ましい。
【０００７】
本発明の軽量発泡コンクリートパネルの取付構造は、軽量発泡コンクリートパネルを建物躯体の梁や柱のフランジ若しくは下地鋼材上に載置し、該軽量発泡コンクリートパネルにパネル取付用ボルト類を打ち込んだ後、前記建物躯体の梁や柱のフランジ若しくは下地鋼材を挟み込むような取付金具を介して前記本発明のパネル取付用ナットを螺合させ締め付けてなる軽量発泡コンクリートパネルの取付構造とした。
【発明の効果】
【０００８】
本発明によれば、次のような効果が得られる。すなわち、ＡＬＣパネルにパネル取付用ボルト類を打ち込む際に発生する粉をネジ溝外部に排出することができるため、容易にかつ確実にＡＬＣパネルを取り付けることができる。また、建設現場において取付用ネジ類とパネル取付用ボルトが一つの同じ工具で作業が可能であるとともに、ＡＬＣパネルにパネル取付用ボルト類をネジ込む際に非常に単純な作業で締め付けることができるので、容易にＡＬＣパネルを固定することができ、現場での作業効率の大幅な向上が見込める。
【発明を実施するための最良の形態】
【０００９】
以下、本発明の実施形態を図面に基づいて説明する。
本発明におけるパネル取付用ナット（縦溝タイプ）の一実施例を示す外観斜視図を図１に示す。
図１に示すパネル取付用ナット１０は、外観は通常の六角ボルトであって、中心のネジ孔１０ａにはネジ溝１０ｂが切ってある。また、ネジ孔１０ａにはボルト挿入方向に貫通するよう（縦方向にネジ溝１０ｂを横切って）３本の縦溝１０ｅが刻んである。
ネジ孔１０ａに縦溝１０ｅを切ったことにより、ネジ溝１０ｂに目詰まりしたＡＬＣパネル粉をネジ溝１０ｂで掻き出し、縦溝１０ｅに排出できるので、パネル取付用ナットをパネル取付用ボルト類にネジ込む際に、目詰まりが発生することはない。
この例では、パネル取付用ボルト類に螺合させた際に取付金物と密接する支圧面１０ｆを有するつば付きナットを採用している。勿論スプリングワッシャと座金を併用してもかまわない。
【００１０】
図２に本発明のパネル取付用ナット１０（縦溝タイプ）の平面図を示す。図に示すように中心にはネジ孔１０ａと３本の縦溝１０ｅが刻んである。この例では三角形の縦溝が３本刻んであるが、縦溝の断面形状、大きさ、数は特に制限はなく、ネジ溝１０ｂに目詰まりした粉を排出できるものであれば良い。しかし、強いて言えば、通常のパネル取付用ナットとボルトの断面周方向の接触長さを１００とした場合に、本発明におけるパネル取付用ナットとボルトの断面周方向の接触長さが１０〜９０の範囲にあることが好ましい。該断面周方向の接触長さが１０以上であれば、締結により螺合できず空回りするよりも、締結によりＡＬＣパネル表面が破損する方が先となるからであり、また、該断面周方向の接触長さが９０を超えると、ねじ溝１０ｂに目詰まりした粉を排出しづらくなるからである。
尚、パネル取付用ナットとボルトの螺合するねじ山の数は３つ以上あれば万全である。
【００１１】
本発明におけるパネル取付用ナット（螺旋状溝タイプ）の一実施例を示す外観斜視図を図３に示す。
図３に示すパネル取付用ナット１１は、外観は通常の六角ボルトであって、中心のネジ孔１１ａにはネジ溝１１ｂが切ってある。また、ネジ孔１１ａにはボルト挿入方向に貫通するよう１本の螺旋状溝１１ｅが刻んである。
ネジ孔１１ａに螺旋状溝１１ｅを切ったことにより、ネジ溝１１ｂに目詰まりしたＡＬＣパネル粉をネジ溝１１ｂで掻き出し、螺旋状溝１１ｅに排出できるので、パネル取付用ナットをパネル取付用ボルト類にネジ込む際に、目詰まりが発生することはない。
この例では、パネル取付用ボルト類に螺合させた際に取付金物と密接する支圧面１１ｆを有するつば付きナットを採用している。勿論スプリングワッシャと座金を併用してもかまわない。
【００１２】
図４に本発明のパネル取付用ナット１１（螺旋状溝タイプ）の平面図を示す。図に示すように中心にはネジ孔１１ａと１本の螺旋状溝１１ｅが刻んである。この例では三角形の螺旋状溝が１本刻んであるが、スペースの許す限り２本以上刻んでも良いし、また、螺旋状溝の断面形状、大きさ、数は特に制限はなく、ネジ溝１１ｂに目詰まりした粉を排出できるものであれば良い。しかし、強いて言えば、通常のパネル取付用ナットとボルトの断面周方向の接触長さを１００とした場合に、本発明におけるパネル取付用ナットとボルトの断面周方向の接触長さが１０〜９０の範囲にあることが好ましい。該断面周方向の接触長さが１０以上であれば、締結により螺合できず空回りするよりも、締結によりＡＬＣパネル表面が破損する方が先となるからであり、また、該断面周方向の接触長さが９０を超えると、ねじ溝１１ｂに目詰まりした粉を排出しづらくなるからである。
尚、パネル取付用ナットとボルトの螺合するねじ山の数は３つ以上あれば万全である。また、螺旋方向は、ねじ切り方向と同方向でも異方向でも良い。
【００１３】
本発明のパネル取付用ナット１０の水平断面形状の例を図５に示す。図５（ａ）は２個の扇形切れ込みの場合、図５（ｂ）は４個の扇形切れ込みの場合、図５（ｃ）は先端が丸い歯車状の場合、図５（ｄ）は星形歯車状の場合、図５（ｅ）は４個の短冊の場合である。
図のようにネジ溝１０ｂと縦溝１０ｅを交互に設けることにより、ネジ溝１０ｂに目詰まりしたＡＬＣパネル粉をネジ溝１０ｂで掻き出す効果がより大きくなる。
【００１４】
本発明のパネル取付用ナット１０の外形形状の概略図を図６に示す。パネル取付用ナット１０の外形形状は特に制限はなく、スパナ等の締め付け工具に符合するものであれば何でも良い。図６（ａ）は楕円形、図６（ｂ）は三角形、図６（ｃ）は正方形、図７（ｄ）は六角形、図６（ｅ）は向かい合う一対の面が窪んだ四角形の例である。
パネル取付用ナット１０の外形形状・寸法は、使用するパネル取付用ボルト類の頭部の寸法・形状と同じであることが好ましい。寸法・形状が同じであれば、同じ工具で締め付け作業ができるので、作業能率を高めることができるからである。各パネル取付用ナット共中心部にネジ孔１０ａと縦溝１０ｅが刻んである。ネジ孔１０ａに刻むネジ溝１０ｂは、使用する取付用ボルト類のネジ山と嵌合するものである。縦溝１０ｅの形状や大きさ、個数等にも特に制限はなく、ネジ孔１０ａの大きさを勘案して適宜決めればよい。縦溝１０ｅは、少なくとも１本、できれば複数本設けておくのが目詰まり防止には効果的である。
工具との掛かりを確保するためにパネル取付用ナット１０の高さは３ｍｍ以上あることが望ましい。
パネル取付用ナット１０の一方の端面には、パネル取付用ボルト類に螺合させた際に取付金物と密接する支圧面を有するつば付きナットとしても良い。
【００１５】
パネル取付用ボルト類の一例を図７に示す。図７はパネル取付用ボルト類の外観図である。
本発明で使用する取付用ボルト類９は、特に制約を受ける部分は少なく、普通の六角ボルト、平ボルト等殆どのネジ類の対応が可能となる。
また、取付用ボルト類をＡＬＣパネルへより簡易に打ち込むためには、図７に示すように、取付用ボルト類９の先端９ｃの尖った先端部分にもネジ山を設ける方法や、先端９ｃを単純に斜めにする方法、あるいは、先端９ｃを尖らせかつ切り欠きを設けるなどの方法がHある。
更に、取付用ボルト類９のネジ部９ａは、取付用ボルト類９の先端９ｃから頭部９ｂに近いところまで、より長い範囲にネジ山を設けておくほど、パネル取付用ナットを螺合させる際の共廻りや抜けを防止することができる。
【００１６】
次に、本発明で使用する取付金物の一例を外観斜視図で図８に示す。
本発明で使用する取付金物１２は、鋼片を折り曲げ加工して平坦部にパネル取付用ボルト類の径より若干大きく、かつパネル取付用ナットの支圧面の径より小さい挿入穴１２ａを設けたものである。取り付ける鉄骨のフランジの厚さに合せた段差１２ｄを設けることにより安定した止め付けが可能となる。
【００１７】
次に、本発明のＡＬＣパネルの取付構造の一例を床または屋根の場合について図面を用いて説明する。
図９は本発明のＡＬＣパネルの取付構造の一例を示す一部破断斜視図で、図９の線Ａ−Ａ’に沿った断面図を図１０に示す。
ＡＬＣパネル１をＨ形鋼からなる建物躯体２のフランジ２ａの上に載置した後、ＡＬＣパネル１の表面から取付用ボルト類９を頭部９ｂが沈む状態まで打ち込む。その後、ＡＬＣパネル１の裏面側より突出した取付用ボルト類９の先端９ｃに、取付金物１２の挿入穴１２ａを通してＡＬＣパネル１を押さえ込み、本発明のパネル取付用ナットを取付用ボルト類９の先端９ｃに螺合させて嵌め込み、電動ドライバーなどを用いて締め付けてフランジ２ａと取付金物１２とでＡＬＣパネル１を挟み込んで固定する。
【００１８】
このような取付構造にすれば、パネル取付用ナットのネジ孔に縦溝又は螺旋状溝を設けてあるので、ＡＬＣパネルへ取付用ボルト類を打ち込んだ際に、ネジ溝部にＡＬＣパネルの粉が多量に詰まっても、ネジ溝部分で粉が掻き出されると共に縦溝又は螺旋状溝が粉の逃げ道となっているので、粉詰まりが発生することはなく、かつねじの共廻りや抜けを防いで施工性の向上を図ることが可能となる。
【図面の簡単な説明】
【００１９】
【図１】本発明のパネル取付用ナット（縦溝タイプ）の外観斜視図である。
【図２】本発明のパネル取付用ナット（縦溝タイプ）の平面図である。
【図３】本発明のパネル取付用ナット（螺旋状溝タイプ）の外観斜視図である。
【図４】本発明のパネル取付用ナット（螺旋状溝タイプ）の平面図である。
【図５】本発明のパネル取付用ナットの縦溝の水平断面形状の例を示す図であって、（ａ）は２個の扇形切れ込みの場合、（ｂ）は４個の扇形切れ込みの場合、（ｃ）は先端が丸い歯車状の場合、（ｄ）は星形歯車状の場合、（ｅ）は４個の短冊の場合を示す。
【図６】本発明のパネル取付用ナットの外形形状の概略図で、（ａ）は楕円形、（ｂ）は三角形、（ｃ）は正方形、（ｄ）は六角形、（ｅ）は向かい合う一対の面が窪んだ４角形の例である。
【図７】本発明で使用するパネル取付用ボルト類の一例を示す外観図である。
【図８】本発明で使用する取付金物の一例を示す外観斜視図である。
【図９】本発明のＡＬＣパネルの取付構造の一例を示す一部破断斜視図である。
【図１０】図９の線Ａ−Ａ’の沿った断面図である。
【図１１】従来のＡＬＣパネルの取付構造で使用するパネル取付用ボルトの外観斜視図であって、（ａ）はやや上方から見た図、（ｂ）はやや下から見た図である。
【図１２】従来のＡＬＣパネルの取付構造の一例を示す一部破断斜視図である。
【符号の説明】
【００２０】
１  軽量発泡コンクリート（ＡＬＣパネル）
２  建物躯体
６  パネル取付用ボルト
９  取付用ボルト類
９ａ  ネジ部
９ｂ  頭部
９ｃ  先端部
１０  パネル取付用ナット（縦溝タイプ）
１０ａ  ネジ孔
１０ｂ  ネジ溝
１０ｅ  縦溝
１０ｆ  支圧面
１１  パネル取付用ナット（螺旋状溝タイプ）
１１ａ  ネジ孔
１１ｂ  ネジ溝
１１ｅ  螺旋状溝
１１ｆ  支圧面
１２  取付金物
１２ａ  挿入穴
１２ｂ  段差
【図１】
2008291924.tif 000003
【図２】
2008291924.tif 000004
【図３】
2008291924.tif 000005
【図４】
2008291924.tif 000006
【図５】
2008291924.tif 000007
【図６】
2008291924.tif 000008
【図７】
2008291924.tif 000009
【図８】
2008291924.tif 000010
【図９】
2008291924.tif 000011
【図１０】
2008291924.tif 000012
【図１１】
2008291924.tif 000013
【図１２】
2008291924.tif 000014